(57)【要約】  本発明は、自動車のミラー、特に、メークアップミラーに関する。少なくとも１つの反射性に優れたＯＬＥＤが、前記ミラーの周縁に間隔をあけずに配設される。
2008542088.tif 000002
【特許請求の範囲】
【請求項１】
自動車のミラー（１）、特に、バニティミラーであって、
少なくとも１つの反射性に優れたＯＬＥＤ（３）が、前記ミラーの周縁（２）に間隔を空けずに配設されることを特徴とするミラー。
【請求項２】
四辺形であり、ＯＬＥＤ（３）が、前記ミラーの前記周縁の少なくとも一部分に配設されることを特徴とする、請求項１に記載のミラー。
【請求項３】
前記ミラーの前記周縁の２つの対向する部分に、ＯＬＥＤ（３）がそれぞれ配設されることを特徴とする、請求項２に記載のミラー。
【請求項４】
前記ミラーおよび前記ＯＬＥＤ（３）が、１つの平面に配設されることを特徴とする、請求項１〜３のいずれか一項に記載のミラー。
【請求項５】
前記ＯＬＥＤ（３）が湾曲されたものであることを特徴とする、請求項１〜３のいずれか一項に記載のミラー。
【請求項６】
前記ＯＬＥＤ（３）が、前記ミラーに対して傾斜して配設されることを特徴とする、請求項１〜３または請求項５のいずれか一項に記載のミラー。
【請求項７】
前記ミラーおよび前記ＯＬＥＤ（３）が、ミラーカセットに配設されることを特徴とする、請求項１〜６のいずれか一項に記載のミラー。
【請求項８】
請求項１〜７のいずれか一項に記載のミラーを有する車両内装部品。
【請求項９】
サンバイザーまたはヘッドレストであることを特徴とする、請求項８に記載の車両内装部品。
【発明の詳細な説明】
【技術分野】
【０００１】
本発明は自動車のミラーに関し、特に、少なくとも１つの反射性に優れたＯＬＥＤを、ミラー周縁に間隔を空けずに配設したバニティミラーに関する。
【背景技術】
【０００２】
ミラーは、従来技術から十分に知られたものであり、今では、さまざまな特徴が追加されている。例えば、独国特許出願公開第１０１４０６８９Ａ１号明細書には、ミラープレートと、２つの基板およびＯＬＥＤ層から形成された有機発光ディスプレイとを備え、このミラープレートがそのまま、ＯＬＥＤディスプレイの基板の１つをなす車両用ミラーが開示されている。前記ミラーの場合、反射表面に情報を投影することが可能である。独国特許出願公開第１０３２５８４５号明細書には、ディスプレイユニット付きのさらなるバックミラーが開示されている。さらに、従来技術から、照明を備えたミラーが知られている。前記ミラーの照明は、従来技術によれば、ハウジング、白熱電球、電球ホルダ、配線、リフレクタ、および拡散スクリーンからなる構造物に基づいたものである。これらの構造物の高さは、数ミリメートルである。その上、拡散スクリーンは、不良の白熱電球を交換できるように、取り外し可能に構成されなければならない。これらの欠点により、車両用ミラー照明、特に、メークアップミラー照明などの照明の利用可能性が制限される。
【発明の開示】
【０００３】
したがって、本発明の目的は、従来技術の欠点がないミラーを提供することである。
【０００４】
この目的は、少なくとも１つの反射性に優れたＯＬＥＤを、ミラー周縁に間隔を空けずに配設した自動車のミラー、特に、バニティミラーによって達成される。
【発明を実施するための最良の形態】
【０００５】
当業者にとって、本発明によるミラーで非常に良好な照明が得られることは、極めて意外なことであり、予想できなかったことであろう。ミラーの周縁にあるＯＬＥＤは、非常に平坦に組み込まれるため、ＯＬＥＤおよびミラーをフレームに配設することができる。その上、ＯＬＥＤの光は、観察者にとってまぶしくない。ＯＬＥＤの寿命が極めて長いため、ＯＬＥＤを可逆的に組み込むことが不要になりうる。
【０００６】
本発明の範囲内のミラーは、衝突する光の最大可能反射率が、好ましくは、１００％である任意の反射表面である。本発明によれば、前記ミラーの周縁に、少なくとも１つのＯＬＥＤが配設される。その結果、ＯＬＥＤは、前記反射表面の一部ではなく、少なくとも部分的に反射表面の境界となるものである。
【０００７】
本発明によれば、本発明による照明ユニットは、ＯＬＥＤ（有機発光ダイオード）を有する。ＯＬＥＤは、一般に、複数の薄い有機導電層を有する電子コンポーネントを構成する。ＯＬＥＤの厚みは、３ｍｍ未満であり、好ましくは、１．４ｍｍ未満であり、特に好ましくは、１ｍｍ未満である。ＯＬＥＤの透過率は、非駆動状態において、好ましくは、７０％より高く、特に好ましくは、７５％より高い。ＯＬＥＤは、一般に、発光コーティングが塗布された、例えば、ガラスなどのキャリア層と、例えば、同様のガラスなどのカバー層とを有する。キャリア層は、好ましくは、反射層を有し、この反射層は、ダイオードによって放出された光を反射し、ダイオードの非駆動状態においてミラーとして作用する。ＯＬＥＤは、まぶしくない明るい拡散光を放出する。ＯＬＥＤは、非常に速い応答速度が顕著である。フィルタを取り付けることで、白色発光ＯＬＥＤが、任意の所望の色を発光できるようになる。これは、例えば、読書灯に有益である。しかしながら、ＯＬＥＤの色効果は、フィルタなしでも得られる。さらに、ＯＬＥＤは、非常に軽量で、耐久性が極めて高いため、例えば、車両の重量が低減され、照明ユニットを取り替える間隔が短くなりうる。一般に、寿命が長いことから、取り替える必要がまったくなくなることもある。ＯＬＥＤの重量が比較的軽量であるため、比較的大面積の照明も実現できる。
【０００８】
ＯＬＥＤは、反射ＯＬＥＤであることが好ましい。本発明のこの実施形態には、非駆動状態において、反射ＯＬＥＤがミラーのように見えるという利点がある。表面の外観が均質な反射性のものであるため、ミラーとの関連性が生じる。
【０００９】
ミラーは、前記ミラーの周縁の少なくとも１つの部分にＯＬＥＤを有することが好ましい。ミラーは、前記ミラーの周縁の対向する２つの部分にＯＬＥＤをそれぞれ有することがさらに好ましい。ミラーおよびＯＬＥＤは、１つの平面、特に、１つの平面にあるユーザーと対面するエリアに配設されることが好ましい。
【００１０】
さらなる好ましい実施形態において、ＯＬＥＤは、湾曲して配設される。ＯＬＥＤが、ミラーに対して傾斜して配設されることがさらに好ましく、または特に好ましい。この実施形態には、特に、ＯＬＥＤによって放出される光が、観察者にとってまぶしくないという利点と、電源遮断状態にあるＯＬＥＤにより、観察者の三次元観察が可能であるという利点がある。
【００１１】
ミラーおよびＯＬＥＤは、ミラーカセットに配設されることが好ましい。本発明のこの実施形態により、特に、簡単な装着が可能となる。ミラーが照明を有するように意図されていない場合、本発明のこの好ましい実施形態において、フレームを変更することなくより大きなミラーを使用でき、この場合、フレームを変更してしまうと、例えば、自動車の実装時における設備の多様性が低減してしまう。
【００１２】
本発明によるミラーは、車両内装部品に配設するのに特に適している。したがって、本発明のさらなる主題は、本発明によるミラーを有する車両内装部品である。
【００１３】
車両内装部品は、本発明によるミラーが配設されたサンバイザーまたはヘッドレストであることが好ましい。
【００１４】
以下、図１〜図３を参照しながら、本発明について説明する。これらの説明は、例示的に示しているだけであって、本発明の一般的概念を限定するものではない。これらの説明は、本発明の両方の主題に対して等しく適用される。
【００１５】
図１は、本発明によるミラー１を示す。この場合、ミラー１は、矩形状に構成され、前記ミラーの周縁２の右側表面および左側表面のそれぞれのＯＬＥＤ３を有する。ＯＬＥＤは、反射ＯＬＥＤであり、非駆動状態においてミラーのように作用することで、ＯＬＥＤの非駆動状態にある表面１および３が、大きく、本質的に均質なミラー表面のように作用する。駆動状態において、反射ＯＬＥＤ３は、発光体として機能し、バニティミラーの場合、例えば、観察者の顔を照らす。
【００１６】
図２は、図１に基づいたミラーの側面図を示す。同図に示すように、ミラー１は、反射表面６が背面にある基板４、この場合、ガラス基板を備える。ＯＬＥＤ３は、参照番号５で示されており、背面に反射表面７を有する。ＯＬＥＤ３は、カバープレート、基板、および電極付きのＯＬＥＤ層を含み、それらをまとめて参照番号５で示す。反射層６、７は、衝突する光を１００％反射する。非駆動状態において、表面１、３は、連続したミラー表面として作用する。
【００１７】
図３は、図１および図２に基づいたミラーのさらなる実施形態を示す。図３に示すミラーは、本質的に、図１および図２に示すミラーに相当するが、この場合、ＯＬＥＤ３は、ミラー１に対して傾斜させて配設されている。本発明のこの実施形態の利点として、ミラーの観察者がより良好に照明されること、前記観察者がＯＬＥＤからの光をまぶしいと感じる程度が低下すること、電源遮断状態にあるＯＬＥＤが、三次元ミラーイメージを発生することがある。当業者によれば、紙面に対して、異なる角度および／または異なる曲率を有しうる複数のＯＬＥＤを互いに横に並べて配設可能であることも理解するであろう。
【図面の簡単な説明】
【００１８】
【図１】本発明によるミラーの平面図を示す。
【図２】図１に基づいた本発明によるミラーの側面図を示す。
【図３】図１に基づいたミラーのさらなる実施形態を示す。
【符号の説明】
【００１９】
１  ミラー
２  周縁
３  ＯＬＥＤ
４  基板、ガラス
５  ＯＬＥＤ
６、７  反射表面
【図１】
2008542088.tif 000003
【図２】
2008542088.tif 000004
【図３】
2008542088.tif 000005
【国際調査報告】
2008542088.tif 000006
2008542088.tif 000007
2008542088.tif 000008
2008542088.tif 000009
2008542088.tif 000010
2008542088.tif 000011